(57)【特許請求の範囲】
【請求項１】
複数のディスプレイを備えた情報処理システムであって、
前記複数のディスプレイのうちの一つのディスプレイである第１のディスプレイの表示面上に配置されたタッチパネルと、
前記タッチパネル上で、当該タッチパネルにタッチした位置をスライドさせる操作である、画面送出操作を受け付ける画面送出操作受付手段と、
ディスプレイ切替手段とを有し、
前記複数のディスプレイのうちの前記第１ディスプレイを除く各ディスプレイは、当該ディスプレイの配置位置の、前記第１ディスプレイから見た方向に応じて定まる方向に対応づけられており、
前記ディスプレイ切替手段は、前記画面送出操作を受け付けた場合に、前記第１ディスプレイに表示していた画面を表示するディスプレイを、前記第１ディスプレイから、当該画面送出操作においてタッチした位置がスライドした方向に対応づけられている他のディスプレイに切り替え、
当該情報処理システムは自動車に搭載されており、
前記複数のディスプレイは自動車の前席前方に固定配置されたディスプレイと、自動車の前席後方かつ後席前方に固定配置されたディスプレイとを含むことを特徴とする情報処理システム。
【請求項２】
複数のディスプレイを備えた情報処理システムであって、
前記複数のディスプレイのうちの一つのディスプレイである第１のディスプレイの表示面上に配置されたタッチパネルと、
前記タッチパネル上で、当該タッチパネルにタッチした位置をスライドさせる操作である、画面呼込操作を受け付ける画面呼込操作受付手段と、
ディスプレイ切替手段とを有し、
前記複数のディスプレイのうちの前記第１ディスプレイを除く各ディスプレイは、当該ディスプレイの配置位置の、前記第１ディスプレイから見た方向に応じて定まる方向に対応づけられており、
前記ディスプレイ切替手段は、前記画面呼込操作を受け付けた場合に、当該画面呼込操作においてタッチした位置がスライドした方向に対応づけられている他のディスプレイに表示していた画面を表示するディスプレイを、当該他のディスプレイから、前記第１ディスプレイに切り替え、
当該情報処理システムは自動車に搭載されており、
前記複数のディスプレイは自動車の前席前方に固定配置されたディスプレイと、自動車の前席後方かつ後席前方に固定配置されたディスプレイとを含むことを特徴とする情報処理システム。
【請求項３】
複数のディスプレイを備えた情報処理システムであって、
前記複数のディスプレイのうちの一つのディスプレイである第１のディスプレイの表示面上に配置されたタッチパネルと、
前記タッチパネル上で、当該タッチパネルにタッチした位置を前記第１ディスプレイの表示領域内から表示領域境界または表示領域外までスライドさせる操作を画面送出操作として受け付ける画面送出操作受付手段と、
前記タッチパネル上で、当該タッチパネルにタッチした位置を、前記第１ディスプレイの表示領域境界または表示領域外から表示領域内までスライドさせる操作である、画面呼込操作を受け付ける画面呼込操作受付手段と、
ディスプレイ切替手段とを有し、
前記複数のディスプレイのうちの前記第１ディスプレイを除く各ディスプレイは、当該ディスプレイの配置位置の、前記第１ディスプレイから見た方向に応じて定まる方向に対応づけられており、
前記ディスプレイ切替手段は、
前記画面送出操作を受け付けた場合に、前記第１ディスプレイに表示していた画面を表示するディスプレイを、前記第１ディスプレイから、当該画面送出操作においてタッチした位置がスライドした方向に対応づけられている他のディスプレイに切り替え、
前記画面呼込操作を受け付けた場合に、当該画面呼込操作においてタッチした位置がスライドした方向と逆の方向に対応づけられている他のディスプレイに表示していた画面を表示するディスプレイを、当該他のディスプレイから、前記第１ディスプレイに切り替え、
当該情報処理システムは自動車に搭載されており、
前記複数のディスプレイは自動車の前席前方に固定配置されたディスプレイと、自動車の前席後方かつ後席前方に固定配置されたディスプレイとを含むことを特徴とする情報処理システム。
【請求項４】
請求項１、２または３記載の情報処理システムであって、
前記複数のディスプレイのうちの前記第１ディスプレイを除くディスプレイのうちの少なくとも一部のディスプレイの表示面上にも、各々タッチパネルが配置されていることを特徴とする情報処理システム。
【請求項５】
複数のディスプレイと、前記複数のディスプレイのうちの一つのディスプレイである第１のディスプレイの表示面上に配置されたタッチパネルとを備えたコンピュータによって読み取られ実行されるコンピュータプログラムであって、
当該コンピュータプログラムは、前記コンピュータを、
前記タッチパネル上で、当該タッチパネルにタッチした位置をスライドさせる操作である、画面送出操作を受け付ける画面送出操作受付手段と、
ディスプレイ切替手段として機能させるコンピュータプログラムであって、
前記複数のディスプレイのうちの前記第１ディスプレイを除く各ディスプレイは、当該ディスプレイの配置位置の、前記第１ディスプレイから見た方向に応じて定まる方向に対応づけられており、
前記ディスプレイ切替手段は、前記画面送出操作を受け付けた場合に、前記第１ディスプレイに表示していた画面を表示するディスプレイを、前記第１ディスプレイから、当該画面送出操作においてタッチした位置がスライドした方向に対応づけられている他のディスプレイに切り替え、
前記コンピュータは自動車に搭載されており、
前記複数のディスプレイは自動車の前席前方に固定配置されたディスプレイと、自動車の前席後方かつ後席前方に固定配置されたディスプレイとを含むことを特徴とするコンピュータプログラム。
【請求項６】
複数のディスプレイと、前記複数のディスプレイのうちの一つのディスプレイである第１のディスプレイの表示面上に配置されたタッチパネルとを備えたコンピュータによって読み取られ実行されるコンピュータプログラムであって、
当該コンピュータプログラムは、前記コンピュータを、
前記タッチパネル上で、当該タッチパネルにタッチした位置をスライドさせる操作である、画面呼込操作を受け付ける画面呼込操作受付手段と、
ディスプレイ切替手段として機能させるコンピュータプログラムであって、
前記複数のディスプレイのうちの前記第１ディスプレイを除く各ディスプレイは、当該ディスプレイの配置位置の、前記第１ディスプレイから見た方向に応じて定まる方向に対応づけられており、
前記ディスプレイ切替手段は、前記画面呼込操作を受け付けた場合に、当該画面呼込操作においてタッチした位置がスライドした方向に対応づけられている他のディスプレイに表示していた画面を表示するディスプレイを、当該他のディスプレイから、前記第１ディスプレイに切り替え、
前記コンピュータは自動車に搭載されており、
前記複数のディスプレイは自動車の前席前方に固定配置されたディスプレイと、自動車の前席後方かつ後席前方に固定配置されたディスプレイとを含むことを特徴とするコンピュータプログラム。
【請求項７】
複数のディスプレイと、前記複数のディスプレイのうちの一つのディスプレイである第１のディスプレイの表示面上に配置されたタッチパネルとを備えたコンピュータによって読み取られ実行されるコンピュータプログラムであって、
当該コンピュータプログラムは、前記コンピュータを、
前記タッチパネル上で、当該タッチパネルにタッチした位置を前記第１ディスプレイの表示領域内から表示領域境界または表示領域外までスライドさせる操作を画面送出操作として受け付ける画面送出操作受付手段と、
前記タッチパネル上で、当該タッチパネルにタッチした位置を、前記第１ディスプレイの表示領域境界または表示領域外から表示領域内までスライドさせる操作である、画面呼込操作を受け付ける画面呼込操作受付手段と、
ディスプレイ切替手段として機能させるコンピュータプログラムであって、
前記複数のディスプレイのうちの前記第１ディスプレイを除く各ディスプレイは、当該ディスプレイの配置位置の、前記第１ディスプレイから見た方向に応じて定まる方向に対応づけられており、
前記ディスプレイ切替手段は、
前記画面送出操作を受け付けた場合に、前記第１ディスプレイに表示していた画面を表示するディスプレイを、前記第１ディスプレイから、当該画面送出操作においてタッチした位置がスライドした方向に対応づけられている他のディスプレイに切り替え、
前記画面呼込操作を受け付けた場合に、当該画面呼込操作においてタッチした位置がスライドした方向と逆の方向に対応づけられている他のディスプレイに表示していた画面を表示するディスプレイを、当該他のディスプレイから、前記第１ディスプレイに切り替え、
前記コンピュータは自動車に搭載されており、
前記複数のディスプレイは自動車の前席前方に固定配置されたディスプレイと、自動車の前席後方かつ後席前方に固定配置されたディスプレイとを含むことを特徴とするコンピュータプログラム。
【発明の詳細な説明】
【技術分野】
【０００１】
本発明は、複数のディスプレイを備えた情報処理システムに関するものである。
【背景技術】
【０００２】
複数のディスプレイを備えた情報処理システムとしては、自動車に搭載された情報処理システムであって、ダッシュボードの比較的下方の位置に収容されたタッチパネル付きのディスプレイと、ダッシュボードの上部に配置されたディスプレイとを備えた情報処理システムが知られている（たとえば、特許文献１）。
【０００３】
また、複数のディスプレイを備えた情報処理システムとしては、自動車に搭載された情報処理システムであって、ダッシュボードに配置された前席ユーザ用のディスプレイと、前席後部に配置された後席ユーザ用のディスプレイとを備えた情報処理システムも知られている（たとえば、特許文献２）。
【先行技術文献】
【特許文献】
【０００４】
【特許文献１】特許4760245公報
【特許文献２】特開2005-088664号公報
【発明の概要】
【発明が解決しようとする課題】
【０００５】
異なるユーザ用の複数のディスプレイを備え、各ディスプレイに個々のユーザ向けの異なる画面を表示する場合、ユーザが、自分用のディスプレイに表示されている画面を他のユーザにも閲覧させて、当該画面の情報を共有したいと欲するときがある。
また、異なるユーザ用の複数のディスプレイを備え、各ディスプレイに個々のユーザ向けの異なる画面を表示する場合、ユーザが自分用のディスプレイに表示されている画面に対する操作を自分に代わって他のユーザに行ってもらいたいと欲する場合もある。たとえば、運転者であるユーザが運転中であるために、運転者用のディスプレイに表示されている操作を、後席のユーザに行ってもらいたい場合や、後席のユーザが、操作に不慣れであるために、後席のユーザ用のディスプレイに表示されている画面に対する操作を、操作に慣れている前席のユーザに行ってもらいたい場合などがある。
【０００６】
そして、自分用のディスプレイに表示されている画面の他のユーザの閲覧や、自分用のディスプレイに表示されている画面に対する操作の他のユーザによる代行は、当該自分用のディスプレイに表示されている画面を表示するディスプレイを、他のユーザ用のディスプレイに切り替えることにより実現することができる。
【０００７】
したがって、このような各画面を表示するディスプレイの切り替えをユーザが容易に行うことができれば、情報処理システムの利便性が向上する。
そこで、本発明は、複数のディスプレイを備えた情報処理システムにおいて、各画面を表示するディスプレイの切り替えをユーザが容易に行えるようにすることを課題とする。
【課題を解決するための手段】
【０００８】
前記課題達成のために、本発明は、複数のディスプレイを備えた情報処理システムに、前記複数のディスプレイのうちの一つのディスプレイである第１のディスプレイの表示面上に配置されたタッチパネルと、前記タッチパネル上で、当該タッチパネルにタッチした位置をスライドさせる操作である、画面送出操作を受け付ける画面送出操作受付手段と、ディスプレイ切替手段とを設けたものである。ここで、前記複数のディスプレイのうちの前記第１ディスプレイを除く各ディスプレイは、当該ディスプレイの配置位置の、前記第１ディスプレイから見た方向に応じて定まる方向に対応づけられており、前記ディスプレイ切替手段は、前記画面送出操作を受け付けた場合に、前記第１ディスプレイに表示していた画面を表示するディスプレイを、前記第１ディスプレイから、当該画面送出操作においてタッチした位置がスライドした方向に対応づけられている他のディスプレイに切り替える。
このような情報処理システムによれば、第１のディスプレイの表示画面上で、タッチ位置を、他のディスプレイが配置されている方向に応じて定まる方向にスライドさせるだけの簡易な画面送出操作を行うだけで、第１のディスプレイに表示されている画面を当該他のディスプレイに移動させることができる。
【０００９】
また、前記課題達成のために、本発明は、複数のディスプレイを備えた情報処理システムに、前記複数のディスプレイのうちの一つのディスプレイである第１のディスプレイの表示面上に配置されたタッチパネルと、前記タッチパネル上で、当該タッチパネルにタッチした位置をスライドさせる操作である、画面呼込操作を受け付ける画面呼込操作受付手段と、ディスプレイ切替手段とを備えたものである。ここで、前記複数のディスプレイのうちの前記第１ディスプレイを除く各ディスプレイは、当該ディスプレイの配置位置の、前記第１ディスプレイから見た方向に応じて定まる方向に対応づけられており、前記ディスプレイ切替手段は、前記画面呼込操作を受け付けた場合に、当該画面呼込操作においてタッチした位置がスライドした方向に対応づけられている他のディスプレイに表示していた画面を表示するディスプレイを、当該他のディスプレイから、前記第１ディスプレイに切り替える。
このような情報処理システムによれば、第１のディスプレイの表示画面上で、タッチ位置を、他のディスプレイが配置されている方向に応じて定まる方向にスライドさせるだけの簡易な画面呼込作を行うだけで、当該他のディスプレイに表示されている画面を第１のディスプレイに移動させることができる。
【００１０】
また、前記課題達成のために、本発明は、複数のディスプレイを備えた情報処理システムに、前記複数のディスプレイのうちの一つのディスプレイである第１のディスプレイの表示面上に配置されたタッチパネルと、前記タッチパネル上で、当該タッチパネルにタッチした位置を前記第１ディスプレイの表示領域内から表示領域境界または表示領域外までスライドさせる操作を画面送出操作として受け付ける画面送出操作受付手段と、前記タッチパネル上で、当該タッチパネルにタッチした位置を、前記第１ディスプレイの表示領域境界または表示領域外から表示領域内までスライドさせる操作である、画面呼込操作を受け付ける画面呼込操作受付手段と、ディスプレイ切替手段とを備えたものである。ここで、前記複数のディスプレイのうちの前記第１ディスプレイを除く各ディスプレイは、当該ディスプレイの配置位置の、前記第１ディスプレイから見た方向に応じて定まる方向に対応づけられており、前記ディスプレイ切替手段は、前記画面送出操作を受け付けた場合に、前記第１ディスプレイに表示していた画面を表示するディスプレイを、前記第１ディスプレイから、当該画面送出操作においてタッチした位置がスライドした方向に対応づけられている他のディスプレイに切り替え、前記画面呼込操作を受け付けた場合に、当該画面呼込操作においてタッチした位置がスライドした方向と逆の方向に対応づけられている他のディスプレイに表示していた画面を表示するディスプレイを、当該他のディスプレイから、前記第１ディスプレイに切り替える。
【００１１】
このような情報処理システムによれば、第１のディスプレイの表示画面上で、タッチ位置を、他のディスプレイが配置されている方向に応じて定まる方向に表示領域内から表示領域の境界までスライドさせるだけの簡易な画面送出操作を行うだけで、第１のディスプレイに表示されている画面を当該他のディスプレイに移動させることができる。また、第１のディスプレイの表示画面上で、タッチ位置を、他のディスプレイが配置されている方向に応じて定まる方向と逆方向に、表示領域境界または表示領域外から表示領域内に向けてスライドさせるだけの簡易な画面呼込作を行うだけで、当該他のディスプレイに表示されている画面を第１のディスプレイに移動させることができる。
ここで、以上の情報処理システムにおいて、前記複数のディスプレイのうちの前記第１ディスプレイを除くディスプレイのうちの少なくとも一部のディスプレイの表示面上にも、各々タッチパネルを配置して、その操作を受け付けるようにすることが好ましい。
また、以上の情報処理システムは自動車に搭載されたものであり、前記複数のディスプレイは自動車の前席前方に固定配置されたディスプレイと、自動車の前席後方かつ後席前方に固定配置されたディスプレイとを含むものであってもよい。
【発明の効果】
【００１２】
以上のように、本発明によれば、複数のディスプレイを備えた情報処理システムにおいて、各画面を表示するディスプレイの切り替えをユーザが容易に行えるようになる。
【図面の簡単な説明】
【００１３】
【図１】本発明の実施形態に係る情報処理システムの構成を示すブロック図である。
【図２】本発明の実施形態に係るディスプレイの配置を示す図である。
【図３】本発明の実施形態に係るディスプレイ表示制御処理を示すフローチャートである。
【図４】本発明の実施形態に係るディスプレイ表示制御処理の処理例を示す図である。
【図５】本発明の実施形態に係るディスプレイ表示制御処理の処理例を示す図である。
【図６】本発明の実施形態に係るディスプレイ表示制御処理の処理例を示す図である。
【図７】本発明の実施形態に係るディスプレイ表示制御処理の処理例を示す図である。
【図８】本発明の実施形態に係るディスプレイ表示制御処理の処理例を示す図である。
【発明を実施するための形態】
【００１４】
以下、本発明の実施形態について自動車に搭載される情報処理システムへの適用を例にとり説明する。
図１に、情報処理システムの構成を示す。
図示するように、情報処理システムは、制御装置１、アッパーディスプレイ２、インダッシュディスプレイ３、左リアディスプレイ４、右リアディスプレイ５、ＩＤＤ用タッチパネル６、ＬＲＤ用タッチパネル７、ＲＲＤ用タッチパネル８、その他の周辺装置とを備えている。
【００１５】
ここで、アッパーディスプレイ２とインダッシュディスプレイ３は前席ユーザ用のディスプレイであり、図２ａ、ｂに示すようにアッパーディスプレイ２は自動車のダッシュボードの上部の比較的前方の位置に配置されており、インダッシュディスプレイ３は自動車のダッシュボード内に収容されている。
【００１６】
また、左リアディスプレイ４は左後席ユーザ用のディスプレイであり、左リアディスプレイ４は右前席の後部に配置されている。また、右リアディスプレイ５は右後席ユーザ用のディスプレイであり、右リアディスプレイ５は右前席の後部に配置されている。
そして、ＩＤＤ用タッチパネル６は、インダッシュディスプレイ３の表示面上に重ねて配置されており、インダッシュディスプレイ３に表示されているウインドウに対する前席のユーザ操作を受け付け、ＬＲＤ用タッチパネル７は、左リアディスプレイ４の表示面上に重ねて配置されており、左リアディスプレイ４に表示されているウインドウに対する左後席のユーザ操作を受け付け、ＲＲＤ用タッチパネル８は、右リアディスプレイ５の表示面上に重ねて配置されており、右リアディスプレイ５に表示されているウインドウに対する右後席のユーザ操作を受け付ける。
【００１７】
なお、本実施形態では、アッパーディスプレイ２に対してはタッチパネルは設けておらず、アッパーディスプレイ２に表示されているウインドウに対するユーザ操作は受け付けない。
さて、図１に戻り、制御装置１は、オペレーティングシステム１１と、オペレーティングシステム１１上で稼働する複数のアプリケーション１２とを備えている。
そして、オペレーティングシステム１１は、アッパーディスプレイ２、インダッシュディスプレイ３、左リアディスプレイ４、右リアディスプレイ５のそれぞれに対応して設けた、対応するディスプレイを制御するディスプレイドライバ１１１を備えている。また、オペレーティングシステム１１は、ＩＤＤ用タッチパネル６、ＬＲＤ用タッチパネル７、ＲＲＤ用タッチパネル８のそれぞれに対応して設けた、対応するタッチパネルを制御するタッチパネルドライバ１１２を備えている。また、オペレーティングシステム１１は、周辺装置のそれぞれに対応して設けた、対応する周辺装置を制御する周辺装置ドライバ１１３を備えている。
【００１８】
また、オペレーティングシステム１１は、ウインドウ制御部１１４を備えており、ウインドウ制御部１１４は、各アプリケーション１２が出力する当該アプリケーション１２のユーザインタフェースを形成するウインドウを、アッパーディスプレイ２、インダッシュディスプレイ３、右リアディスプレイ５、左リアディスプレイ４のいずれかに、対応するディスプレイドライバ１１１を介して表示する。また、オペレーティングシステム１１のウインドウ制御部１１４は、ＩＤＤ用タッチパネル６が検出したタッチ操作を、ＩＤＤ用タッチパネル６に対応するタッチパネルドライバ１１２を介して、インダッシュディスプレイ３に表示しているウインドウに対するユーザ操作として受け付けて、インダッシュディスプレイ３に表示しているウインドウを出力しているアプリケーション１２に受けたユーザ操作を通知し、ＬＲＤ用タッチパネル７に対して行われたタッチ操作を、ＬＲＤ用タッチパネル７に対応するタッチパネルドライバ１１２を介して、左リアディスプレイ４に表示しているウインドウに対するユーザ操作として受け付けて、左リアディスプレイ４に表示しているウインドウを出力しているアプリケーション１２に受け付けたユーザ操作を通知し、ＲＲＤ用タッチパネル８に対して行われたタッチ操作を、ＲＲＤ用タッチパネル８に対応するタッチパネルドライバ１１２を介して、右リアディスプレイ５に表示しているウインドウに対するユーザ操作として受け付けて、右リアディスプレイ５に表示しているウインドウを出力しているアプリケーション１２に受け付けたユーザ操作を通知しする。
【００１９】
ここで、制御装置１は、ハードウエア的には、マイクロプロセッサや、メモリや、その他の周辺デバイス等を有するコンピュータであり、以上に示した制御装置１の各部は、マイクロプロセッサが予め用意されたプログラムを実行することにより実現されるものである。
【００２０】
以下、このような構成において、オペレーティングシステム１１のウインドウ制御部１１４が行うディスプレイ表示制御処理について説明する。
図３に、このディスプレイ表示制御処理の手順を示す。
図示するように、この処理では、ユーザの所定のウインドウ表示開始操作が発生したならば（ステップ３０２）、所定の手順でユーザによって指定されたアプリケーション１２のウインドウの、所定の手順でユーザによって指定されたディスプレイへの表示を開始する（ステップ３０４）。
【００２１】
また、この処理では、ユーザのＩＤＤ用タッチパネル６に対するウインドウ送り出し操作が発生したならば（ステップ３１０）、ウインドウ送り出し操作で指定された送り出し先のディスプレイのウインドウスタックに、送り出し先のディスプレイに表示中のウインドウの識別を格納する（ステップ３１２）。ここで、ウインドウ送り出し操作については後述する。
【００２２】
そして、インダッシュディスプレイ３に表示中のウインドウを表示するディスプレイを、ウインド送り出し先のディスプレイに切り替える（ステップ３１４）。
次に、インダッシュディスプレイ３のウインドウスタックから最後に格納したウインドウの識別を取り出し、取り出した識別が示すウインドウの表示にインダッシュディスプレイ３の表示を復帰する（ステップ３１６）。ただし、インダッシュディスプレイ３のウインドウスタックにウインドウの識別が格納されていない場合には、インダッシュディスプレイ３の表示はブランクのままとする。
【００２３】
また、この処理では、ユーザのＩＤＤ用タッチパネル６に対するウインドウ呼び込み操作が発生したならば（ステップ３２０）、インダッシュディスプレイ３のウインドウスタックに、インダッシュディスプレイ３に表示中のウインドウの識別を格納する（ステップ３２２）。ここで、ウインドウ呼び込み操作については後述する。
【００２４】
そして、ウインドウ呼び込み操作で指定された呼び込み元ディスプレイに表示中のウインドウを表示するディスプレイをインダッシュディスプレイ３に切り替える（ステップ３２４）。
次に、呼び込み元ディスプレイのウインドウスタックから最後に格納したウインドウの識別を取り出し、取り出した識別が示すウインドウの表示に呼び込み元ディスプレイの表示を復帰する（ステップ３２６）。なお、呼び込み元ディスプレイのウインドウスタックにウインドウの識別が格納されていない場合には、呼び込み元ディスプレイの表示はブランクのままとする。
【００２５】
以上、オペレーティングシステム１１のウインドウ制御部１１４が行うディスプレイ表示制御処理について説明した。
以下、上述したウインドウ送り出し操作と、ウインドウ呼び込み操作と、ディスプレイ表示制御処理の処理例について説明する。
まず、ウインドウ制御部１１４は、たとえば、図４ａ１に示すように、インダッシュディスプレイ３の表示領域内から表示領域境界または表示領域外まで、ＩＤＤ用タッチパネル６に対するタッチ位置をスライドさせるスワイプ操作をウインドウ送り出し操作として受け付ける。また、タッチ位置をスライドさせた方向に対応づけられているディスプレイを、送り出し先ディスプレイとして受け付ける。そして、インダッシュディスプレイ３に表示中のウインドウを表示するディスプレイを、ウインドウ送り出し操作で指定された送り出し先のディスプレイに切り替える。
【００２６】
ここで、タッチ位置をスライドさせた方向に対応づけられたディスプレイとは、インダッシュディスプレイ３の上方向に車内前方向または車内上方向が対応し、インダッシュディスプレイ３の下方向に車内後方向が対応し、インダッシュディスプレイ３の左方向に車内左方向に対応し、インダッシュディスプレイ３の右方向に車内右方向に対応するものとして求めた、スライドさせた方向に対応する車内方向側に、インダッシュディスプレイ３から見て位置するディスプレイである。
【００２７】
ただし、本実施形態では、ウインドウ送り出し操作において、スライドさせた方向と送り出し先ディスプレイとして設定されるディスプレイとの対応は予めウインドウ制御部１１４に設定しておく。具体的には、本実施形態では、インダッシュディスプレイ３の表示領域内の位置からタッチ位置を上方に表示領域境界または表示領域外までスライドさせるウインドウ送り出し操作にはアッパーディスプレイ２を、インダッシュディスプレイ３の表示領域内の位置からタッチ位置を斜め左下方に表示領域境界または表示領域外までスライドさせるウインドウ送り出し操作には左リアディスプレイ４を、インダッシュディスプレイ３の表示領域内の位置からタッチ位置を斜め右下方に表示領域境界または表示領域外までスライドさせるウインドウ送り出し操作には右リアディスプレイ５を、ウインドウ送り出し操作によって送り出し先ディスプレイとして設定されるディスプレイとして設定しておく。
【００２８】
また、ウインドウ制御部１１４は、たとえば、図４ｂ１に示すように、インダッシュディスプレイ３の表示領域境界または表示領域外から表示領域内まで、ＩＤＤ用タッチパネル６に対するタッチ位置をスライドさせるベゼルスワイプ(エッジスワイプ)操作をウインドウ呼び込み操作として受け付ける。また、タッチ位置がスライドさせた方向と逆方向に対応づけられているディスプレイを、呼び込み元ディスプレイとして受け付ける。そして、呼び込み元ディスプレイに表示中のウインドウを表示するディスプレイをインダッシュディスプレイ３に切り替える。
【００２９】
ここで、タッチ位置をスライドさせた方向と逆方向に対応づけられたディスプレイとは、インダッシュディスプレイ３の上方向に車内前方向または車内上方向が対応し、インダッシュディスプレイ３の下方向に車内後方向が対応し、インダッシュディスプレイ３の左方向に車内左方向に対応し、インダッシュディスプレイ３の右方向に車内右方向に対応するものとして求めた、スライドさせた方向と逆方向に対応する車内方向側に、インダッシュディスプレイ３から見て位置するディスプレイである。
【００３０】
ただし、本実施形態では、ウインドウ呼び込み操作においてスライドさせた方向と呼び込み元ディスプレイとして設定されるディスプレイとの対応は予めウインドウ制御部１１４に設定しておく。具体的には、本実施形態では、インダッシュディスプレイ３の表示領域上方の表示領域境界または表示領域外の位置からタッチ位置を下方に表示領域内までスライドさせるウインドウ呼び込み操作にはアッパーディスプレイ２を、インダッシュディスプレイ３の表示領域斜め左側下方よりタッチ位置を斜め右上方に表示領域内までスライドさせるウインドウ呼び込み操作には左リアディスプレイ４を、インダッシュディスプレイ３の表示領域斜め右側下方よりタッチ位置を斜め左上方に表示領域内までスライドさせるウインドウ呼び込み操作には右リアディスプレイ５を、ウインドウ呼び込み操作によって呼び込み元ディスプレイとして設定されるディスプレイとして設定しておく。
【００３１】
さて、次に、ディスプレイ表示制御処理の処理例を以下に示す。
たとえば、いま、図４ａ１に示すようにアッパーディスプレイ２にウインドウＡを、インダッシュディスプレイ３にウインドウＢを、左リアディスプレイ４にウインドウＣを、右リアディスプレイ５にウインドウＤを表示している状態で、ユーザがＩＤＤ用タッチパネル６を用いて、インダッシュディスプレイ３の表示領域内の位置からタッチ位置を上方に表示領域境界または表示領域外までスライドさせるウインドウ送り出し操作が行われた場合には、インダッシュディスプレイ３の前上方にあるアッパーディスプレイ２を送り出し先ディスプレイに設定し、図４ａ２に示すように、インダッシュディスプレイ３に表示していたウインドウＢを表示するディスプレイをアッパーディスプレイ２に切り替える。また、このとき、アッパーディスプレイ２のウインドウスタックには、ウインドウＡの識別が格納される。
【００３２】
また、このようにウインドウＢを表示するディスプレイをアッパーディスプレイ２に切り替えた図４ｂ１の状態で、ユーザがＩＤＤ用タッチパネル６を用いて、インダッシュディスプレイ３の表示領域の上方の表示領域境界または表示領域外の位置からタッチ位置を下方に表示領域内までスライドさせるウインドウ呼び込み操作が行われた場合には、インダッシュディスプレイ３の前上方にあるアッパーディスプレイ２を呼び込み元ディスプレイに設定し、図４ｂ２に示すように、アッパーディスプレイ２に表示していたウインドウＢを表示するディスプレイをインダッシュディスプレイ３に復帰する。また、アッパーディスプレイ２への表示を、アッパーディスプレイ２のウインドウスタックに最後に識別が格納されたウインドウＡの表示に復帰する。
【００３３】
次に、図５ａ１に示すように、アッパーディスプレイ２にウインドウＡを、インダッシュディスプレイ３にウインドウＢを、左リアディスプレイ４にウインドウＣを、右リアディスプレイ５にウインドウＤを表示している状態で、ユーザがＩＤＤ用タッチパネル６を用いて、インダッシュディスプレイ３の表示領域の上方の表示領域境界または表示領域外の位置からタッチ位置を下方に表示領域内までスライドさせるウインドウ呼び込み操作が行われた場合には、インダッシュディスプレイ３の前上方にあるアッパーディスプレイ２を呼び込み元ディスプレイに設定し、図５ａ２に示すように、アッパーディスプレイ２に表示していたウインドウＡを表示するディスプレイをインダッシュディスプレイ３に切り替える。また、このとき、インダッシュディスプレイ３のウインドウスタックには、ウインドウＢの識別が格納される。
【００３４】
また、このようにウインドウＡを表示するディスプレイをインダッシュディスプレイ３に切り替えた図５ｂ１に示す状態で、ユーザがＩＤＤ用タッチパネル６を用いて、インダッシュディスプレイ３の表示領域内の位置からタッチ位置を上方に表示領域境界または表示領域外までスライドさせるウインドウ送り出し操作が行われた場合には、インダッシュディスプレイ３の前上方にあるアッパーディスプレイ２を送り出し先ディスプレイに設定し、図５ｂ２に示すように、インダッシュディスプレイ３に表示していたウインドウＡを表示するディスプレイをアッパーディスプレイ２に復帰する。また、インダッシュディスプレイ３への表示を、インダッシュディスプレイ３のウインドウスタックに最後に識別が格納されたウインドウＢの表示に復帰する。
【００３５】
次に、図６ａ１に示すようにアッパーディスプレイ２にウインドウＡを、インダッシュディスプレイ３にウインドウＢを、左リアディスプレイ４にウインドウＣを、右リアディスプレイ５にウインドウＤを表示している状態で、ユーザがＩＤＤ用タッチパネル６を用いて、インダッシュディスプレイ３の表示領域内の位置からタッチ位置を斜め左下方に表示領域境界または表示領域外までスライドさせるウインドウ送り出し操作が行われた場合には、インダッシュディスプレイ３の左後方にある左リアディスプレイ４を送り出し先ディスプレイに設定し、図６ａ２に示すように、インダッシュディスプレイ３に表示していたウインドウＢを表示するディスプレイを左リアディスプレイ４に切り替える。また、このとき、左リアディスプレイ４のウインドウスタックには、ウインドウＣの識別が格納される。
【００３６】
また、このようにウインドウＢを表示するディスプレイをアッパーディスプレイ２に切り替えた図６ｂ１の状態で、ユーザがＩＤＤ用タッチパネル６を用いて、インダッシュディスプレイ３の表示領域の左斜め下方の表示領域境界または表示領域外の位置からタッチ位置を斜め右上方に表示領域内までスライドさせるウインドウ呼び込み操作が行われた場合には、インダッシュディスプレイ３の左後方にある左リアディスプレイ４を呼び込み元ディスプレイに設定し、図６ｂ２に示すように、左リアディスプレイ４に表示していたウインドウＢを表示するディスプレイをインダッシュディスプレイ３に復帰する。また、左リアディスプレイ４への表示を、左リアディスプレイ４のウインドウスタックに最後に識別が格納されたウインドウＣの表示に復帰する。
【００３７】
次に、図７ａ１に示すように、アッパーディスプレイ２にウインドウＡを、インダッシュディスプレイ３にウインドウＢを、左リアディスプレイ４にウインドウＣを、右リアディスプレイ５にウインドウＤを表示している状態で、ユーザがＩＤＤ用タッチパネル６を用いて、インダッシュディスプレイ３の表示領域の左斜め下方の表示領域境界または表示領域外の位置からタッチ位置を斜め右上方に表示領域内までスライドさせるウインドウ呼び込み操作が行われた場合には、インダッシュディスプレイ３の左後方にある左リアディスプレイ４を呼び込み元ディスプレイに設定し、図７ａ２に示すように、左リアディスプレイ４に表示していたウインドウＣを表示するディスプレイをインダッシュディスプレイ３に切り替える。また、このとき、インダッシュディスプレイ３のウインドウスタックには、ウインドウＢの識別が格納される。
【００３８】
また、このようにウインドウＣを表示するディスプレイをインダッシュディスプレイ３に切り替えた図７ｂ１に示す状態で、ユーザがＩＤＤ用タッチパネル６を用いて、インダッシュディスプレイ３の表示領域内の位置からタッチ位置を斜め左下方に表示領域境界または表示領域外までスライドさせるウインドウ送り出し操作が行われた場合には、インダッシュディスプレイ３の左後方にある左リアディスプレイ４を送り出し先ディスプレイに設定し、図７ｂ２に示すように、インダッシュディスプレイ３に表示していたウインドウＣを表示するディスプレイを左リアディスプレイ４に復帰する。また、インダッシュディスプレイ３への表示を、インダッシュディスプレイ３のウインドウスタックに最後に識別が格納されたウインドウＢの表示に復帰する。
【００３９】
次に、図示は省略したが、インダッシュディスプレイ３の表示領域内の位置からタッチ位置を斜め右下方に表示領域境界または表示領域外までスライドさせるウインドウ送り出し操作が行われた場合には、インダッシュディスプレイ３の右後方にある右リアディスプレイ５を送り出し先ディスプレイに設定して、以上と同様な処理を行い、インダッシュディスプレイ３の表示領域の右斜め下方の表示領域境界または表示領域外の位置からタッチ位置を斜め左上方に表示領域内までスライドさせるウインドウ呼び込み操作が行われた場合には、インダッシュディスプレイ３の右後方にある右リアディスプレイ５を呼び込み元ディスプレイに設定し以上と同様な処理を行うこととなる。
【００４０】
すなわち、インダッシュディスプレイ３の表示領域内の位置からタッチ位置を斜め左下方に表示領域境界または表示領域外までスライドさせるウインドウ送り出し操作や、インダッシュディスプレイ３の表示領域の右斜め下方の表示領域境界または表示領域外の位置からタッチ位置を斜め左上方に表示領域内までスライドさせるウインドウ呼び込み操作が行われた場合には、図６、７の左リアディスプレイ４と右リアディスプレイ５を置換した動作を行うこととなる。
【００４１】
以上、本発明の実施形態について説明した。
このような実施形態によれば、たとえば、図８ａ１に示すように、左リアディスプレイ４に表示されているウインドウの操作法を左後席のユーザが良く分からない場合、前席のユーザは、インダッシュディスプレイ３上で上述のような簡易なウインドウ呼び込み操作を行って図８ａ２に示すように左リアディスプレイ４に表示されているウインドウをインダッシュディスプレイ３に表示し、左後席のユーザに代わって当該ウインドウの操作を行うことができるようになる。
【００４２】
また、図８ｂ１に示すようにタッチパネルを備えていないアッパーディスプレイ２に表示されているウインドウの操作を行いたい場合には、前席のユーザは、インダッシュディスプレイ３上で上述のような簡易なウインドウ呼び込み操作を行って図８ｂ２に示すようにアッパーディスプレイ２に表示されているウインドウをインダッシュディスプレイ３に表示し、図８ｂ３に示すようにＩＤＤ用タッチパネル６を用いて当該ウインドウに対する操作を行い、その後、操作後のウインドウを表示するディスプレイを、上述のような簡易なウインドウ送り出し操作を行って、図８ｂ４に示すようにアッパーディスプレイ２に戻すことができる。
【００４３】
なお、図８ｂ１-４は、アッパーディスプレイ２に表示されているウインドウが、自動車の車速やエンジン回転数を提示する表示オブジェクトが配置されたウインドウである場合（図８ｂ１）に、当該ウインドウをインダッシュウインドウに呼び込み（図８ｂ２）、車速やエンジン回転数を表す表示オブジェクトのデザインを変更した上で（図８ｂ３）、当該ウインドウを表示するディスプレイを、アッパーディスプレイ２に戻す（図８ｂ４）ようすを表している。
【００４４】
ところで、以上の実施形態では、インダッシュディスプレイ３に重ねて配置したＩＤＤ用タッチパネル６においてのみウインドウ呼び込み操作やウインドウ送り出し操作を受け付けるようにしたが、これは、他のディスプレイに重ねて配置したタッチパネルにおいても、ＩＤＤ用タッチパネル６において受け付ける場合と同様にウインドウ呼び込み操作やウインドウ送り出し操作を受け付けるようにしてもよい。
【００４５】
また、以上の実施形態は、または、自動車のメータクラスタ内に配置したディスプレイを、さらに、または、アッパーディスプレイ２に代えて設けるようにしてもよい。
また、以上の実施形態においては、周辺装置として自動車の走行中の有無を検出するセンサを設け、自動車の停車中に図８ｃ１のようにインダッシュディスプレイ３に表示していたウインドウを、自動車の走行中にはインダッシュディスプレイ３に代えて図８ｃ２に示すようにアッパーディスプレイ２に表示するようにしてもよい。このようにすることにより、自動車の走行中に、運転操作への集中の妨げとなる可能性のある当該ウインドウに対する運転者の操作を禁止することができる。
【符号の説明】
【００４６】
１…制御装置、２…アッパーディスプレイ、３…インダッシュディスプレイ、４…左リアディスプレイ、５…右リアディスプレイ、６…ＩＤＤ用タッチパネル、７…ＬＲＤ用タッチパネル、８…ＲＲＤ用タッチパネル、１１…オペレーティングシステム、１２…アプリケーション、１１１…ディスプレイドライバ、１１２…タッチパネルドライバ、１１３…周辺装置ドライバ、１１４…ウインドウ制御部。
【図１】
0006384869.tif 000002
【図２】
0006384869.tif 000003
【図３】
0006384869.tif 000004
【図４】
0006384869.tif 000005
【図５】
0006384869.tif 000006
【図６】
0006384869.tif 000007
【図７】
0006384869.tif 000008
【図８】
0006384869.tif 000009